(57)【特許請求の範囲】
【請求項１】
被検体が載置される天板を有する寝台装置であって、
前記天板は、長手方向先端部の上面が傾斜を有しており、前記天板を上方から見たときの前記先端部の形状が先端に向かうにつれ幅が狭くなる三角形形状であることを特徴とする寝台装置。
【請求項２】
請求項１に記載の寝台装置において、
前記天板の先端部の上面が有する傾斜には、前記被検体の頭部を保持するためのヘッドレスト若しくは延長天板を取り付けるためのスロットが前記傾斜の途中に設けられていることを特徴とする寝台装置。
【請求項３】
請求項１または２に記載の寝台装置において、
前記天板は先端部から長手方向に進むにつれて剛性が大きくなることを特徴とする寝台装置。
【請求項４】
請求項３に記載の寝台装置において、
前記天板は先端部から長手方向に進むにつれて厚さが厚くなることを特徴とする寝台装置。
【請求項５】
請求項３に記載の寝台装置において、
前記天板は先端部から長手方向に進むにつれて幅が広くなることを特徴とする寝台装置。
【請求項６】
請求項１乃至５のいずれか一項に記載の寝台装置を備えたことを特徴とするX線CT装置。
【発明の詳細な説明】
【技術分野】
【０００１】
本発明は、医用画像診断装置に係わり、特に被検体を載置させるための天板を有する寝台装置に関する。
【背景技術】
【０００２】
医用画像診断装置の一つであるX線CT(Computed Tomography)装置とは、被検体にX線を照射するX線管装置と、被検体を透過したX線量を投影データとして検出するX線検出器と、を被検体の周囲で回転させることにより得られる複数角度からの投影データを用いて被検体の断層画像を再構成し、再構成された断層画像を表示するものである。X線CT装置で表示される画像は、被検体の中の臓器の形状を描写するものであり、画像診断に使用される。
【０００３】
X線CT装置では、X線が照射される位置に被検体を移動させるために、被検体を載置させる天板を有する寝台装置が用いられる。被検体を載置させる天板にはX線吸収率の小さい材質が用いられるが、天板の先端部ではX線吸収率が0から数％に急激に変化するためアーチファクトが発生する。
【０００４】
特許文献1では、このようなアーチファクトの発生を防ぐために、天板の先端部を円弧状に形成したり、天板の先端部の下面に傾斜を設けたりしている。
【先行技術文献】
【特許文献】
【０００５】
【特許文献１】特開平9-224931号公報
【発明の概要】
【発明が解決しようとする課題】
【０００６】
しかしながら、特許文献1では天板の製作を容易にすることに対する配慮はなされていない。
【０００７】
そこで本発明の目的は、容易に製作することができ、アーチファクトの発生を抑制する構造の天板を備えた寝台装置を提供することである。
【課題を解決するための手段】
【０００８】
上記目的を達成するために本発明は、直線形状で構成され、天板の長手方向先端部から長手方向に進むにつれて断面積が徐々に増加する形状の天板を備えることを特徴とするものである。
【０００９】
具体的には、被検体が載置される天板を有する寝台装置であって、前記天板は、長手方向先端部の上面が傾斜を有しており、前記天板を上方から見たときの前記先端部の形状が先端に向かうにつれて幅が狭くなる三角形形状であることを特徴とするものである。
【発明の効果】
【００１０】
本発明によれば、容易に製作することができ、アーチファクトの発生を抑制する構造の天板を備えた寝台装置を提供することができる。
【図面の簡単な説明】
【００１１】
【図１】本実施形態の医用画像診断装置の一例であるX線CT装置の全体の外観を説明する斜視図
【図２】本発明の医用画像診断装置の一例であるX線CT装置の全体構成を示すブロック図
【図３】寝台装置105の斜視図
【図４】第一の実施形態の天板4の形状を示す図であり、図4(a)は天板4の上面図、図4(b)は図4(a)のA内を拡大した天板4の先端部の拡大図、図4(c)は図4(a)のB-B断面図、図4(d)は図4(a)のC-C断面図
【図５】第二の実施形態の天板4の上面図
【図６】第三の実施形態の天板4の長手方向断面図
【図７】第四の実施形態の天板4の上面図
【発明を実施するための形態】
【００１２】
以下、添付図面に従って本発明に係る医用画像診断装置の好ましい実施形態について説明する。なお、以下の説明及び添付図面において、同一の機能構成を有する構成要素については、同一の符号を付することにより重複説明を省略することにする。
【００１３】
まず、本実施形態の医用画像診断装置の一例であるX線CT装置の全体構造を図1および図2を用いて説明する。図1は、X線CT装置1の外観図であり、図2は、全体構造を示すブロック図である。図1および図2のようにX線CT装置1は、スキャンガントリ部100と操作ユニット120とを備える。
【００１４】
スキャンガントリ部100は、X線管装置101と、回転円盤102と、コリメータ103と、X線検出器106と、データ収集装置107と、寝台装置105と、ガントリ制御装置108と、寝台制御装置109と、X線制御装置110と、を備えている。X線管装置101は寝台装置105上に載置された被検体2にX線を照射する装置である。コリメータ103はX線管装置101から照射されるX線の放射範囲を制限する装置である。回転円盤102は、寝台装置105上に載置された被検体2が入る開口部104を備えるとともに、X線管装置101とX線検出器106を搭載し、被検体2の周囲を回転するものである。X線検出器106は、X線管装置101と対向配置され被検体2を透過したX線を検出することにより透過X線の空間的な分布を計測する装置であり、多数のX線検出素子を回転円盤102の回転方向に配列したもの、若しくは回転円盤102の回転方向と回転軸方向との2次元に配列したものである。データ収集装置107は、X線検出器106で検出されたX線量をデジタルデータとして収集する装置である。ガントリ制御装置108は回転円盤102の回転を制御する装置である。寝台制御装置109は、寝台装置105の上下前後動を制御する装置である。X線制御装置110はX線管装置101に入力される電力を制御する装置である。寝台装置105については後で詳細に説明する。
【００１５】
操作卓120は、入力装置121と、画像演算装置122と、表示装置125と、記憶装置123と、システム制御装置124とを備えている。入力装置121は、被検体氏名、検査日時、撮影条件などを入力するための装置であり、具体的にはキーボードやポインティングデバイスである。画像演算装置122は、データ収集装置107から送出される計測データを演算処理してCT画像再構成を行う装置である。表示装置125は、画像演算装置122で作成されたCT画像を表示する装置であり、具体的にはCRT(Cathode-Ray Tube)や液晶ディスプレイ等である。記憶装置123は、データ収集装置107で収集したデータ及び画像演算装置122で作成されたCT画像の画像データを記憶する装置であり、具体的にはHDD(Hard Disk Drive)等である。システム制御装置124は、これらの装置及びガントリ制御装置108と寝台制御装置109とX線制御装置110を制御する装置である。
【００１６】
入力装置121から入力された撮影条件、特にX線管電圧やX線管電流などに基づきX線制御装置110がX線管装置101に入力される電力を制御することにより、X線管装置101は撮影条件に応じたX線を被検体2に照射する。X線検出器106は、X線管装置101から照射され被検体2を透過したX線を多数のX線検出素子で検出し、透過X線の分布を計測する。回転円盤102はガントリ制御装置108により制御され、入力装置121から入力された撮影条件、特に回転速度などに基づいて回転する。寝台装置105は寝台制御装置109によって制御され、入力装置121から入力された撮影条件、特にらせんピッチなどに基づいて動作する。
【００１７】
X線管装置101からのX線照射とX線検出器106による透過X線分布の計測が回転円盤102の回転とともに繰り返されることにより、様々な角度からの投影データが取得される。取得された様々な角度からの投影データは画像演算装置122に送信される。画像演算装置122は送信された様々な角度からの投影データを逆投影処理することによりCT画像を再構成する。再構成して得られたCT画像は表示装置125に表示される。
【００１８】
図3は寝台装置105を開口部104側から見たときの斜視図である。寝台装置105は天板4と寝台本体5とを備えている。天板4は寝台本体5の上に、長手方向に沿ってスライド可能に取付けられている。寝台制御装置109の制御により、天板4は開口部104へ向かってスライドさせられ、開口部104の中まで被検体2を搬送し、所定の位置で停止させられる。
【００１９】
図4を参照しながら天板4の形状について説明する。図4(a)は天板4の上面図、図4(b)は図4(a)のA内を拡大した天板4の先端部の拡大図、図4(c)は図4(a)のB-B断面図、図4(d)は図4(a)のC-C断面図である。なお、以降の説明では、被検体2が載置される面を天板の上面、反対面を下面と呼び、開口部104に近い側を天板の前方、反対側を後方と呼ぶ。つまり、図4(a)、(b)、(d)の左側が天板4の前方となる。
【００２０】
本実施例の天板4は、前方の先端部の上面が傾斜を有しており、前方の先端に向かうにつれて厚みが薄くなる形状である。また、天板4を上方から見たときの先端部の形状は、前方の先端に向かうにつれて幅が狭くなる台形形状である。天板4の後方の形状は、上方から見た場合は長方形であり、天板4のB-B断面は上面側の幅が広い台形形状である。天板4は、例えば、発泡ウレタン部6と、その周囲を取り囲むカーボン部7とから構成される。発泡ウレタン及びカーボンはX線透過率の高い材質であり、カーボンは機械的強度の高い材質である。このような構成とすることにより、被検体2の体重を支持するのに十分な強度と剛性を保ちつつ、被検体2を透過したX線の検出の妨げにならない天板となる。なお、天板を構成する材質は、発泡ウレタン及びカーボンに限定されるものではない。
【００２１】
本実施形態の天板4は、先端部を含む全体が直線形状で構成され、天板の先端部から長手方向に進むにつれて断面積が徐々に増加する形状となっている。先端部が直線形状で構成されていることから本実施形態の天板4は、円弧状の先端部を有する天板に比べ容易に製作することができる。さらに、天板の先端部から長手方向に進むにつれて断面積が徐々に増加する形状となっているので、X線吸収率が0から数％に急激に変化することがなく、アーチファクトの発生を抑制できる構造となっている。すなわち、本実施形態の天板4は、容易に製作することができ、アーチファクトの発生を抑制することができる。
【００２２】
また、図4(d)に示すように、天板4の後方下面には接続部9が、寝台本体5の前方にはローラ8が、それぞれ設けられている。接続部9は、天板4と寝台本体5を接続するためのものであり、寝台本体5の上を前後方向にスライドできるとともに、矢印10の方向に天板4を回転可能な構造となっている。ローラ8は天板4の下面に接しており、天板4が前後方向にスライドするのにともない回転する。本実施形態では天板4の下面が平面となっており天板4の下面とローラ8との接触面が大きくなるので、天板4の下面が曲面である場合に比べて、ローラ8を安定して回転させることができる。なお、図4(c)にはローラ8の位置の例を点線で示している。
【００２３】
また、天板4の先端部には、被検体2の頭部を保持するためのヘッドレストを取り付けるためのスロット41が設けられている。被検体2の頭部の重量は6ｋｇ程度であり、天板4の先端部には6kg程度の荷重が印加されることになる。本実施形態では、ヘッドレストを取り付けるためのスロット41が天板4の先端部上面の傾斜の途中に設けられているので、天板4の先端部全体で荷重を支えることができる。これに対し天板4の先端部下面にスロットが設けられた場合には、天板4の先端部の下面側でのみ荷重を支えることになる。すなわち本実施形態の天板4は、天板の先端部下面にスロットが設けられた場合に比べ、天板4の先端に印加される荷重を支えやすい構造である。なお、スロット41にはヘッドレスト以外に、天板4の長さが不足した際に使用される延長天板が取り付けられても良い。本実施形態では、スロット41が天板4の先端部上面側に設けられているので、目視確認しながら延長天板やヘッドレストを取り付けることができ、天板の先端部下面にスロットがある場合に比べて取り付け時の作業性の面で優れている。
【００２４】
図5に第二の実施形態の天板の上面図を示す。天板を上方から見たときの先端部の形状は、台形形状に限定されない。本実施形態では、天板を上方から見たときの先端部の形状が、先端に向かうにつれて幅が狭くなる三角形形状である。この場合も、天板4の先端部の上面は傾斜を有している。図5に示した天板4の場合も、先端部が直線形状で構成され、天板の先端部から長手方向に進むにつれて断面積が徐々に増加する形状となっているので、容易に製作することができ、アーチファクトの発生を抑制することができる。
【００２５】
図6に第三の実施形態の天板の長手方向断面図を示す。天板4をスライドさせたとき、天板4はローラ8を支点とした片持ち状態となるので、天板4をスライドさせるほど天板4が撓む。天板4の撓みは被検体2の上下方向の位置ずれとなるので、断層像を撮影する上では好ましくない。本実施形態では天板4をスライドさせた時の撓みを抑制するために、先端部から長手方向に進むにつれて天板4の厚さが厚くなる構造としている。このような構造とすることにより、先端部から長手方向に進むにつれて剛性が大きくなるので、天板4をスライドさせた時の撓みを抑制することができる。
【００２６】
また本実施形態では、寝台本体5に対するローラ8の高さを接続部9の高さよりも高くすることで、寝台本体5の上面に対して天板4が仰角を有している。このような構造とすることにより、天板4をスライドさせるほどに天板4は上方に持ち上げられるので、天板4が撓んだ分を相殺することができる。寝台本体5の上面に対する天板4の仰角は、天板4の形状、大きさ、材質に応じて適切に設定すればよい。なお、天板4が仰角を有する構造は、図6に示した断面形状の天板に限らず、図4に示した断面形状の天板であっても適用することができる。
【００２７】
図7に第四の実施形態の天板の上面図を示す。先端部から長手方向に進むにつれて剛性が大きくなる構造の天板は図6の構造に限定されない。本実施形態では、先端部から長手方向に進むにつれて、天板4の幅が広くなる構造となっている。このような構造とすることにより、先端部から長手方向に進むにつれ剛性が大きくなるので、天板4をスライドさせた時の撓みを抑制することができる。また、図6、7に示す構造以外にも、先端部から長手方向に進むにつれて、例えば、発泡ウレタン部6に比べてカーボン部7の厚さを厚くする構造としても良い。
【符号の説明】
【００２８】
1  X線CT装置、100  スキャンガントリ部、101  X線管装置、102  回転円盤、103  コリメータ、104  開口部、105  寝台装置、106  X線検出器、107  データ収集装置、108  ガントリ制御装置、109  寝台制御装置、、110  X線制御装置、120  操作卓、121  入力装置、122  画像演算装置、123  記憶装置、124  システム制御装置、125  表示装置、4  天板、5  寝台本体、6  発泡ウレタン部、7  カーボン部、8  ローラ、9  接続部、41  スロット
【図１】
0005623163.tif 000002
【図２】
0005623163.tif 000003
【図３】
0005623163.tif 000004
【図４】
0005623163.tif 000005
【図５】
0005623163.tif 000006
【図６】
0005623163.tif 000007
【図７】
0005623163.tif 000008